(57)【要約】【課題】総数Ｎ個のＨＳ−ＤＳＣＨチャネル化コードが使用可能な、ＨＳＤＰＡを使用したＷＣＤＭＡベースの無線通信システムにおける、ＨＳ−ＤＳＣＨチャネル化コードを割り振るための方法を提供すること。【解決手段】ノードＢがＵＥにサービスを提供することができるように、要求に応じて、ＲＮＣによってＭ＜Ｎ個のＨＳ−ＤＳＣＨチャネル化コードが割り振られる。ノードＢは、ＨＳ−ＤＳＣＨチャネル化コードのどれが、現在送信に使用されていないかを識別し、ＵＥにサービスを提供するために、未使用のＨＳ−ＤＳＣＨチャネル化コードのうちの少なくとも１つを自律的に割り振る。【選択図】図３
2007020163.tif 000002
【特許請求の範囲】
【請求項１】
ＨＳＤＰＡを使用し、総数Ｎ個のＨＳ−ＤＳＣＨチャネル化コードを有するＷＣＤＭＡベースの無線通信システム（１）において、ＨＳ−ＤＳＣＨチャネル化コードを割り振るための方法であって、
ａ）ノードＢ（３）が、ユーザ機器（４）にサービスを提供できるように、無線ネットワーク制御装置（２）が、Ｍ≦Ｎ個のＨＳ−ＤＳＣＨチャネル化コードをノードＢ（３）に割り振り、Ｍ個のチャネル化コードが、最小のコードセットを規定し、
ｂ）ノードＢが、Ｎ−Ｍ個のチャネル化コードのどれが現在送信に使用されていないかを識別し、
ｃ）ノードＢが、ＵＥにサービスを提供するために、未使用のチャネル化コードのうちの少なくとも１つを自律的に割り振る、方法。
【請求項２】
無線通信システムが、ＷＣＤＭＡシステム、特にＵＴＲＡ／ＦＤＤモードで動作するＷＣＤＭＡシステム、またはＣＤＭＡ２０００システムであることを特徴とする、請求項１に記載の方法。
【請求項３】
無線通信システムが、標準３ＧＰＰ  Ｒｅｌｅａｓｅ  ５以降に従ってＨＳＤＰＡを提供していることを特徴とする、請求項１に記載の方法。
【請求項４】
チャネル化コードが、ＯＶＳＦコードであり、ＯＶＳＦコードＣＳＦ，ｉが、拡散率を表す指数ＳＦおよび整数である第２の指数ｉを有し、拡張されたコードセットのＯＶＳＤコードが、第２の指数ｉに関して連続したコードセットを形成することを特徴とする、請求項１に記載の方法。
【請求項５】
ＳＦが拡散率である場合、コードツリーのチャネル化コードＣＳＦ，１、ＣＳＦ，２、ＣＳＦ，３、．．．ＣＳＦ，ＳＦ−１について、
ａ）コードＣＳＦ，ＳＦ−１．．．ＣＳＦ，ＳＦ−Ｍが、最小のＨＳ−ＤＳＣＨコードセット（５）用に選択され、
ｂ）コードＣＳＦ，ＳＦ−１−Ｍ．．．ＣＳＦ，ＳＦ−Ｎが、拡張されたコードセット（６）用に選択され、
ｃ）コードＣＳＦ，ＳＦ−１−Ｎ．．．ＣＳＦ，ＳＦ−ｋ（８）が、ＤＣＨおよびＨＳ−ＳＣＣＨチャネル用に選択され、
ｄ）コードＣＳＦ，ＳＦ−１−ｋ．．．ＣＳＦ，０（９）が、共通チャネル用に選択され、
ここで、Ｍ、Ｎ、およびｋは整数であることを特徴とする、請求項１に記載の方法。
【請求項６】
少なくとも部分的にコンピュータプログラムによって実行されることを特徴とする、請求項１に記載の方法。
【請求項７】
コンピュータプログラムコード手段を有し、プログラムがロードされると、請求項１から６のいずれか一項による方法の実行のためにコンピュータを実行可能にする、コンピュータ可読媒体を含むコンピュータプログラム製品。
【請求項８】
ＷＣＤＭＡ標準に従って動作するように構成されており、請求項７によるコンピュータプログラム製品を含むノードＢ。
【発明の詳細な説明】
【技術分野】
【０００１】
本発明は、ＷＣＤＭＡを使用し、パケットベースのサービスとしてＨＳＤＰＡを提供する無線通信システムに関する。より詳細には、本発明は、ＷＣＤＭＡのＵＴＲＡ／ＦＤＤモードで動作し、ＨＳＤＰＡを提供する無線通信システムに関する。
【背景技術】
【０００２】
高速ダウンリンクパケットアクセス（ＨＳＤＰＡ）は、オペレータの投資を最低限に抑えながら、ネットワーク容量を増加させる、ＷＣＤＭＡ（広帯域符号分割多元接続）ベースの通信システムへの高ビットレートデータサービスの導入をサポートする。これは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）ネットワークが、より高速のデータ転送速度およびより大量の容量にスムーズに進化するための進路を提供する。様々なユーザのための共有チャネルの導入は、パケットドメインにおいてチャネルリソースをより効率よく使用する可能性を提供すると同時に、ユーザにとっては専用チャネルほど費用がかからない。
【０００３】
データ転送速度の高速化は、より高い変調技術（１６−ＱＡＭ）、エラー修正の新しい方法、およびＭＡＣ（メディアアクセス制御）層を介した物理的なリソースの非常に動的な割り振りを使用することによって達成される。この修正されたＭＡＣ層は、ＭＡＣ−ｈｓと呼ばれ、基地局に実装されており、ＵＭＴＳの場合はノードＢとも呼ばれる。
【０００４】
新しい層ＭＡＣ−ｈｓは、ＷＣＤＭＡ拡散符号とも呼ばれる使用可能なチャネル化コード（ｃｈａｎｎｅｌｉｓａｔｉｏｎ  ｃｏｄｅ）をわかっている必要がある。ｔｈｉｒｄ  Ｇｅｎｅｒａｔｉｏｎ  Ｐａｒｔｎｅｒｓｈｉｐ  Ｐｒｏｊｅｃｔ（３ＧＰＰ）によって設定された標準、３ＧＰＰ  Ｒｅｌｅａｓｅ  ５によれば、無線セルにおけるＨＳ−ＤＳＣＨ（ｈｉｇｈ  ｓｐｅｅｄ  ｄｏｗｎｌｉｎｋ  ｓｈａｒｅｄ  ｔｒａｎｓｐｏｒｔ  ｃｈａｎｎｅｌ）パケットスケジューリングに使用可能なチャネル化コードは、ＲＮＣ（無線ネットワーク制御装置）によって明確にノードＢにシグナリングされる。ノードＢは、他のチャネル化コードではなく、セルにおけるＨＳＤＰＡパケットスケジューリングについて、ＲＮＣによってシグナリングされたまさにこれらのチャネル化コードを使用して、ＨＳ−ＤＳＣＨを送信すると想定される。このより高いシグナリングは、３ＧＰＰ文書の３ＧＰＰ  ＴＳ  ２５．４３３  ＮＢＡＰで規定されている。セルにおけるＨＳ−ＤＳＣＨスケジューリングに使用可能なチャネル化コードのセットは、セル内のユーザ機器（ＵＥ）にはわからないことに留意されたい。
【発明の開示】
【発明が解決しようとする課題】
【０００５】
本発明の目的は、ＲＮＣとノードＢとの間のシグナリングがより少なく、同時に無線リソースをより効率よく使用するＨＳＤＰＡを提供する、ＷＣＤＭＡベースの通信システムにおける無線リソース管理（ＲＲＭ）方式を提供することである。
【課題を解決するための手段】
【０００６】
本発明によれば、上述の問題は、Ｎ（Ｎは整数）個のＨＳ−ＤＳＣＨチャネル化コードを有するＨＳＤＰＡを使用して、ＷＣＤＭＡベースの無線通信システムにおいてＨＳ−ＤＳＣＨチャネル化コードを割り振る方法によって解決され、それによって３つのステップが実行される。第１のステップで、ノードＢが、ユーザ機器にサービスを提供できるように、Ｍ≦Ｎ（Ｍは整数）個のＨＳ−ＤＳＣＨチャネル化コードが、無線ネットワーク制御装置によってノードＢに割り振られる。第２のステップで、ノードＢは、Ｎ−Ｍ個のチャネル化コードのどれが、現在送信に使用されていないかを識別する。第３のステップで、ノードＢは、ユーザ機器にサービスを提供するために、Ｎ−Ｍ個の未使用のチャネル化コードのうちの少なくとも１つを自律的に割り振る。
【０００７】
本発明による方法は、ＨＳＤＰＡを使用した無線通信システムが、総数Ｎ個のＨＳ−ＤＳＣＨチャネル化コードを有しているという概念に基づく。ＷＣＤＭＡのＵＴＲＡ／ＦＤＤモードでは、可変長の直交チャネル化コードが使用される。これらのコードは、コードツリーにまとめられる。ＳＦ＝１６のコード長のコードが選択された場合（ＳＦは拡散率）、このコードは、長さ３２の２つのコードのルートである。ＨＳ−ＤＳＣＨチャネルは、一定の拡散率１６で送信される。これによって、総数１６個のチャネル化コードが、システムに使用可能であるという結果となる。これら１６個のチャネル化コードは、セルで使用可能なコードスペースを表し、それによって１６個のチャネル化コードは、共通チャネル（例えばブロードキャストチャネルやパイロットチャネルなど）、専用チャネル（ＤＣＨ）、およびＨＳチャネルの間で共有される。ＨＳチャネルは、ＨＳ−ＳＣＣＨチャネル（Ｈｉｇｈ  Ｓｐｅｅｄ  Ｓｈａｒｅｄ  Ｃｏｍｍｏｎ  Ｃｏｎｔｒｏｌ  ｃＨａｎｎｅｌｓ）、またはＨＳ−ＰＤＳＣＨチャネル（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌｓ）であり得る。この説明から導かれるように、総数Ｎ＜１６個のチャネル化コードが、ＨＳ−ＤＳＣＨに使用可能である。本発明は、ＨＳ−ＤＳＣＨチャネル化コードと呼ばれる、Ｎ＜１６個のチャネル化コードのこのサブセットを言及する。
【０００８】
従来技術のように、これらＮ個のＨＳ−ＤＳＣＨチャネル化コードは、ネットワーク制御装置によって割り振られることができる。これは、ＲＮＣが、ノードＢにこれらのチャネル化コードを使用してユーザ機器にサービスを提供すべきであることを通知する、通常の方法で行われる。しかし、ダウンリンクトラフィックに応じて、Ｎ個のＨＳ−ＤＳＣＨチャネル化コードの必ずしもすべてが、ノードＢに明示的に割り振られなくてもよい。ダウンリンクトラフィックに応じて、Ｎ個のＨＳ−ＤＳＣＨチャネル化コードのサブセットのみが、明示的に割り振られてもよい。このサブセットは、最小のＨＳ−ＤＳＣＨコードセットと呼ばれ、Ｍが整数の場合、Ｍ≦Ｎ個のチャネル化コードから成る。
【０００９】
第２のステップで、ノードＢは、Ｎ−Ｍ個のＨＳ−ＤＳＣＨチャネル化コードのどれが、現在送信に使用されていないかを識別する。したがって、Ｎ−Ｍ個のＨＳ−ＤＳＣＨチャネル化コードは、共通チャネルの送信に使用されず、専用チャネルあるいは直交チャネルノイズシミュレーション（ＯＣＮＳ）チャネルにも使用されない。これら未使用のＨＳ−ＤＳＣＨチャネル化コードは、ＵＥにサービスを提供するために使用されることができるチャネル化コードを表す。未使用のＨＳ−ＤＳＣＨチャネル化コードは、従来技術では軽視されており、その無線リソースを完全には使用しない効率の悪いシステムの特徴を示す未使用の無線リソースを表す。
【００１０】
本発明によれば、Ｎ−Ｍ個の未使用のＨＳ−ＤＳＣＨチャネル化コードは、ユーザ機器にサービスを提供するために、ノードＢが、Ｎ−Ｍ個の未使用のチャネル化コードのうちの少なくとも１つを自律的に割り振ることができるという意味で、ノードＢによって使用される。ノードＢには、未使用の無線リソースをより効率よく使用できるように、未使用のＨＳ−ＤＳＣＨチャネル化コードによって、セル内のユーザ機器にサービスを提供する可能性が与えられる。ノードＢによって割り振ることができる上述したＮ−Ｍ個のＨＳ−ＤＳＣＨチャネル化コードから成るコードセットは、拡張されたＨＳ−ＤＳＣＨコードセットと呼ばれるべきである。
【００１１】
本発明の好ましい実施形態では、システムは、ＷＣＤＭＡシステム、特に、ＵＴＲＡ／ＦＤＤモードで動作しているＷＣＤＭＡシステムである。代替では、システムは、ＣＤＭＡ２０００システムである。上記の段落から導かれるように、システムは、ＨＳＤＰＡを使用している。
【００１２】
本発明の好ましい実施形態では、システムは、標準３ＧＰＰ  Ｒｅｌｅａｓｅ  ５以降に従ってＨＳＤＰＡを提供している。この点で、本発明によるこの方法は、この業界標準に適合する。これは、この方法が実行されるとき、ＲＮＣの観点から見て何も変わっていないことを意味する。ノードＢの観点から見たときだけ、未使用のリソースが使用される。この点で、上記で提案されたこの方法は、上述した３ＧＰＰ標準によって提供される柔軟性および範囲を使用する。
【００１３】
拡張されたＨＳ−ＤＳＣＨコードセットは、サイズが可変である。例えば、ＲＮＣは、以前拡張されたＨＳ−ＤＳＣＨコードセットのメンバーであった追加のＨＳ−ＤＳＣＨチャネル化コードを割り振る場合、ＲＮＣは、それを自由に行うことができる。この場合、ノードＢは、単にこの追加のＨＳ−ＤＳＣＨチャネル化コードを拡張されたＨＳ−ＤＳＣＨコードセットから除き、それが、最小のＨＳ−ＤＳＣＨコードセットのＨＳ−ＤＳＣＨチャネル化コードになるようにする。これを行うことによって、最小のＨＳ−ＤＳＣＨコードセット内のＨＳ−ＤＳＣＨチャネル化コードの数が、１つだけ増やされ、拡張されたＨＳ−ＤＳＣＨコードセット内のＨＳ−ＤＳＣＨチャネル化コードの数が、１つだけ減らされる。さらに、ＵＥにサービスを提供するために使用される専用チャネルの数が変わることを、考慮に入れる必要がある。追加の専用チャネルの確立によって、拡張されたＨＳ−ＤＳＣＨコードセットが低減し、コードスペースは、共通チャネル、専用チャネル、およびＨＳチャネルの間で共有される。
【００１４】
ＲＮＣによって規定された最小のＨＳ−ＤＳＣＨチャネル化コードセットは、たまに変更を行うだけでよいことが予想されよう。というのは、セルで使用可能なチャネル化コードスペースを、共通チャネルまたは専用チャネルの送信に完全には使用できず、したがって最小のＨＳ−ＤＳＣＨチャネル化コードセットが、やや静的な方法で規定されるからである。結果として、ＨＳ−ＤＳＣＨチャネル化コードの割り振りのための、より高い層のシグナリング、すなわちＲＮＣとノードＢとの間のシグナリングのオーバーヘッドが特に低い。
【００１５】
上述した手法の利点は、ＨＳ−ＤＳＣＨチャネル化コードが、拡張されたＨＳ−ＤＳＣＨコードセットに追加される、または拡張されたＨＳ−ＤＳＣＨコードセットから削除される方法が、ＲＮＣが関与する動的なＨＳ−ＤＳＣＨチャネル化コードの共有よりかなり速いことである。ほとんどの場合、ＨＳ−ＤＳＣＨチャネル化コードを拡張されたＨＳ−ＤＳＣＨコードセットに追加したり、拡張されたＨＳ−ＤＳＣＨコードセットから削除したりするのに、２ミリ秒までの更新時間しかかからない。上記の段落から導かれるように、ノードＢは、これらのＨＳ−ＤＳＣＨチャネル化コードを拡張されたＨＳ−ＤＳＣＨコードセットに自律的に割り振る。これは、このことがＲＮＣによる介入無しに行われることを意味する。
【００１６】
本発明の好ましい実施形態では、拡張されたＨＳ−ＤＳＣＨコードセットは、連続した１組のＨＳ−ＤＳＣＨチャネル化コードになるように選択される。これには、この方法が、３ＧＰＰ  Ｒｅｌｅａｓｅ  ５標準に適合するという利点がある。というのは、ＨＳ−ＳＣＣＨを介してアドレス指定された各ユーザ機器が、連続した１組のチャネル化コードを使用できなければならないという制約下で、３ＧＰＰ  Ｒｅｌｅａｓｅ  ５標準の一部分であるＨＳ−ＳＣＣＨ物理層のシグナリングが、変更無しに、連続したチャネル化コードの組をいくつか処理することができるからである。
【００１７】
ＣＤＭＡシステムは、一般に、ウォルシュまたはアダマードコードなどダウンリンクチャネルの分離用の直交拡散符号、またはＵＴＲＡ／ＦＤＤダウンリンクで使用されるＯＶＳＦチャネル化コードを適用する。
【００１８】
ＯＶＳＦチャネル化コード、ＣＳＦ，ｉは、２つの指数ＳＦおよびｉを有する。第１の指数は、整数であり、拡散率を示しており、拡散率は１６とすることができる。ＳＦ＝１６の場合、チャネル化コードの長さは、１６チップである。第２の指数ｉは、０からＳＦ−１までの整数である。第２の指数は、ＯＶＳＦコードツリーが規定される回帰アルゴリズム（ｒｅｇｒｅｓｓｉｖｅ  ａｌｇｏｒｉｔｈｍ）によって規定される。例えばＡ．Ｒｉｃｈａｒｄｓｏｎによる書物、ＷＣＤＭＡ  ｄｅｓｉｇｎ  ｈａｎｄｂｏｏｋ，Ｃａｍｂｒｉｄｇｅ  Ｕｎｉｖｅｒｓｉｔｙ  Ｐｒｅｓｓ，２００５年のｃｈａｐｔｅｒ  ３．３．８を参照されたい。
【００１９】
最後から２番目の段落の意味における連続したコードセットとは、チャネル化コードのセットが、第２の指数に関する限り、連続した数であることを意味する。一例として、サイズでソートされた場合、第２の指数０，１，２，３および１２，１３，１４，１５は、それぞれ連続した数であるため、セット（Ｃ１６，０，Ｃ１６，１，Ｃ１６，２，Ｃ１６，３）およびセット（Ｃ１６，１２，Ｃ１６，１３，Ｃ１６，１４，Ｃ１６，１５）は、連続したチャネル化コードセットである。
ａ）  本発明の好ましい実施形態では、ＳＦが拡散率である場合のチャネル化コードツリーのチャネル化コードＣＳＦ，０，ＣＳＦ，１，ＣＳＦ，２，．．．ＣＳＦ，ＳＦ−１のチャネル化コードは、次のように使用される。コードＣＳＦ，ＳＦ−１．．．ＣＳＦ，ＳＦ−Ｍが、最小のＨＳ−ＤＳＣＨコードセット（５）用に選択される。
ｂ）  コードＣＳＦ，ＳＦ−１−Ｍ．．．ＣＳＦ，ＳＦ−Ｎが、拡張されたＨＳ−ＤＳＣＨコードセット（６）用に選択される。
ｃ）  コードＣＳＦ，ＳＦ−１−Ｎ．．．ＣＳＦ，ＳＦ−ｋ（８）が、ＤＣＨおよびＨＳ−ＳＣＣＨ用に選択される。
ｄ）  コードＣＳＦ，ＳＦ−１−ｋ．．．ＣＳＦ，０（９）が、共通チャネル用に選択される。
【００２０】
Ｍおよびｋは整数であり、Ｍ＜Ｎ＜ｋ＜ＳＦである。チャネル化コードセットａ）およびｂ）に含まれているチャネル化コードは、セルで使用可能なＮ個のＨＳ−ＤＳＣＨチャネル化コードを表す。ダウンリンクトラフィックに応じて、使用可能なＨＳ−ＤＳＣＨチャネル化コードのこの数Ｎは、０から１５の範囲であり得る。
【００２１】
上記の説明から導かれるように、チャネル化コードセットａ）からｄ）は、連続したコードセットである。この割り振り方式によって、連続した１組の未使用のチャネル化コードを拡張されたＨＳ−ＤＳＣＨコードセットとして使用できる可能性が、最大になる。
【００２２】
本発明の別の態様は、上述したような方法を実行するノードＢである。ノードＢは、ＷＣＤＭＡ標準による基地局であり、ノードＢに上記の方法を実行させるコンピュータプログラム製品を含む。コンピュータプログラム製品は、ノードＢの内部メモリに直接ロード可能であり、上記の方法を実行するソフトウェアコード部分を含む。
【００２３】
上記の方法は、従来のＵＥおよび従来のＲＮＣにおいて適用することができることを強調する必要がある。これは、既存のＵＭＴＳシステムに、本明細書に記載された方法を実行させるのに必要な手間は、ごくわずかであることを意味する。必要に応じてＲＮＣに実装される呼承認制御（ＣＡＣ）アルゴリズムを簡略化することができる可能性さえある。というのは、ＣＡＣアルゴリズムでは、最小のＨＳ−ＤＳＣＨチャネル化コードセットだけを考慮すればよいからである。
【００２４】
本発明のこれらおよび他の態様は、以下に記載する実施形態から明らかになり、それらを参照して説明される。参照符号の使用は、本発明の範囲を制限するものと解釈されるべきではないことを強調すべきである。
【発明を実施するための最良の形態】
【００２５】
図１は、セル状構造を有する従来技術によるＵＭＴＳシステムを示している。セル１０、１０’、１０”は、それぞれ、ユーザ機器４、４’、４”にサービスを提供するノードＢ３、３’、３”を有する。
【００２６】
各ノードＢ３、３’、３”は、ケーブル１１、１１’、１１”を介してＲＮＣ２に接続される。第１のセルから第２のセルへ、例えばセル１０から１０’へのハンドオーバーは、ＲＮＣ２の監視下で行われる。そのために、ユーザ機器４は、常に無線リンクの質を測定し、ノードＢ３を介してＲＮＣ２にデータを送信している。ユーザ機器４が、セル１０とセル１０’との間の境界に到達すると、ユーザ機器４とノードＢ３との間の無線リンクの質は悪化し、ユーザ機器４からノードＢ３’への無線リンクの質は向上する。ＲＮＣ２は、ハンドオーバーがいつ行われるべきであるかを決定し、それに応じてノードＢ３、３’に知らせる。
【００２７】
図２ａおよび図２ｂは、従来技術によるＨＳＤＰＡの無線リソース管理（ＲＲＭ）方式を示している。ＵＴＲＡ／ＦＤＤのＷＣＤＭＡ方式では、可変長の直交拡散符号またはチャネル化コードが使用される。これらのコードは、コードツリーにまとめられる。示した例では、ＳＦ（ＳＦ＝拡散率）のコード長＝１６であり、これは、長さ３２の２つのコードのルートである。ＨＳ−ＤＳＣＨは、一定の拡散率で送信され、これは、ノードＢが、Ｎ＝１６個のチャネル化コードの可用性を監視する必要があることを意味する。
【００２８】
図２ａは、ＲＮＣの観点から見たＲＲＭ方式を示している。下部５は、連続した１組の６つのＨＳ−ＤＳＣＨチャネル化コードＣ１６，１５．．．Ｃ１６，１０を表している。これらのチャネル化コードは、ＲＮＣによってすでに割り振られており、ＨＳＤＰＡダウンリンクを実行可能にするように働く。第２のブロック７は、連続した１組の４つのチャネル化コードＣ１６，９．．．Ｃ１６，６を表す。これらのチャネル化コードは、現在は使用されていないが、ＨＳＤＰＡダウンリンクの需要が高まった場合、依然としてＲＮＣによって割り振られ得る。したがって、ブロック７内の４つのＨＳ−ＤＳＣＨチャネル化コードは、ＲＮＣ２の予備を表す。ブロック８は、ＤＣＨチャネルおよびＨＳ−ＳＣＣＨチャネルに使用される連続した１組の４つのチャネル化コードＣ１６，５．．．Ｃ１６，２を表す。一番上のブロック９は、２つのチャネル化コードを含む共通チャネルに使用される４番目の連続した１組のチャネル化コードを表す。
【００２９】
図２ａから導かれるように、ブロック７内の４つのＨＳ−ＤＳＣＨチャネル化コードの総数は使用されない。未使用のＨＳ−ＤＳＣＨチャネル化コードは、未使用の無線リソースを表し、これは、無線通信システムのリソースが効率よく使用されていないことを意味する。
【００３０】
図２ｂは、ノードＢの観点から見たＨＳＤＰＡの無線リソース管理方式を示している。図２ｂと図２ａとの比較は、２つの図が同じであることを示している。これは、従来技術において、ノードＢとＲＮＣとのとらえ方が同じであることを意味する。しかし、従来技術によれば、ノードＢは、未使用のＨＳ−ＤＳＣＨチャネル化コードを識別するように構成されてはいないことを強調すべきである。
【００３１】
図３のフローチャートは、本発明による方法を示している。ステップ１で、ＲＮＣは、ノードＢがユーザ機器にサービスを提供することができるように、Ｍ≦Ｎ個のＨＳ−ＤＳＣＨチャネル化コードをノードＢに割り振る。ステップ２で、ノードＢは、未使用のチャネル化コードがあるかどうかを決定する。未使用のチャネル化コードが無い場合、方法は、ステップ３で停止し、チャネル化コードの使用に関して変更があるかどうかをチェックするために、後でステップ２が繰り返される。
【００３２】
未使用のチャネル化コードがある場合、ノードＢは、ステップ４でそれらを決定する。それらは、拡張されたコードセットを規定する。ステップ５で、ノードＢは、ＵＥにサービスを提供するために、拡張されたコードセットからコードを１つ割り振る。
【００３３】
ステップ６でＲＮＣが追加コードを割り振らない場合、ノードＢは、ＵＥにサービスを提供するために、拡張されたコードセットのすべてのコードを自由に使用することができ、したがってそれに応じてステップ５が繰り返されることができる。実際、接続が終了すると、ステップ５で、ノードＢは、拡張されたコードセットのチャネル化コードの割り振りの解除も行う。
【００３４】
ステップ６でＲＮＣが追加コードを割り振る場合、ステップ７で、拡張されたコードセットは、チャネル化コードが１つだけ低減される。除外されたコードが使用された場合、ＵＥへの送信が停止される。次いで方法は、ステップ２に進む。ステップ６でＲＮＣが追加コードを割り振らない場合、方法はステップ５に進む。実際、ノードＢは、ＵＥにサービスを提供するのを停止した場合、拡張されたコードセットのコードの割り振りを解除することができる。
【００３５】
図４ａおよび図４ｂは、ＨＳＤＰＡを使用したＷＣＤＭＡベースの無線通信システムの新しいＲＲＭ方式における、ＨＳ−ＤＳＣＨチャネル化コードの割り振りを示している。この場合、上記の方法が使用されている。１６個のチャネル化コードが使用可能であり、そのうちのＮ＝１０個は、ＨＳ−ＤＳＣＨチャネル化コードである。
【００３６】
図４ａは、ＲＮＣの図を示しており、これも図２ａおよび図２ｂと同じである。これは、ＲＮＣの観点から見て、本発明による方法は、変化がないことを示していることを意味する。言い換えれば、この方法は、既存の標準に適合する。特に、ｔｈｉｒｄ  ｇｅｎｅｒａｔｉｏｎ  ｐａｒｔｎｅｒｓｈｉｐ  ｐｒｏｊｅｃｔの上述した標準に適している。
【００３７】
図４ｂは、ノードＢの観点から見た、ＨＳ−ＤＳＣＨチャネル化コードの割り振りを示している。
【００３８】
第１のステップにおいて、ノードＢ３がユーザ機器４にサービスを提供することができるように、要求に応じてＲＮＣ２によって、Ｍ＝６個のＨＳ−ＤＳＣＨチャネル化コードのいくつかが割り振られる。上記の記述を想定すると、ＳＦ＝１６であるため、これらはＨＳ−ＤＳＣＨチャネル化コードＣ１６，１５．．．Ｃ１６，１０である。これらのＨＳ−ＤＳＣＨチャネル化コードは、最小のＨＳ−ＤＳＣＨチャネル化コードセットを表す。
【００３９】
ＨＳ−ＤＳＣＨチャネル化コードの数は、セル内のトラフィックに従ってＲＮＣ２によって選択されることができる。したがって図３ａおよび図３ｂは、所与のときの割り振り状況を表す。ただし、その後になって、Ｍは、６より小さくなっても大きくなってもよい。
【００４０】
実際に、ＲＮＣによって規定された最小のＨＳ−ＤＳＣＨチャネル化コードセットは、まれにしか変更を必要としない。というのは、セルで使用可能なチャネル化コードスペースを、共通チャネルまたは専用チャネルの送信に完全には使用できず、したがって最小のＨＳ−ＤＳＣＨチャネル化コードセットが、やや静的な方法で規定されるからである。結果として、ＨＳ−ＤＳＣＨチャネル化コードの割り振りのための、より高い層のシグナリング、すなわちＲＮＣとノードＢとの間のシグナリングのオーバーヘッドが特に低い。
【００４１】
第２のステップで、ノードＢは、Ｎ−Ｍ＝１０−６＝４個のチャネル化コードのどれが、現在送信に使用されていないかを識別する。ブロック７内に未使用のＨＳ−ＤＳＣＨチャネル化コード、つまりＨＳ−ＤＳＣＨチャネル化コードＣ１６，９．．．Ｃ１６，６がある。これら４つのＨＳ−ＤＳＣＨチャネル化コードは、拡張されたＨＳ−ＤＳＣＨチャネル化コードセットを規定する。
【００４２】
第３のステップで、ノードＢは、ＵＥにサービスを提供するために、ブロック５内のこれらのＨＳ−ＤＳＣＨチャネル化コードＣ１６，１９．．．Ｃ１６，６を自律的に割り振ることができる。ブロック８内のＤＣＨチャネルおよびＨＳ−ＳＣＣＨチャネルに使用されるチャネル化コード、またはブロック９内の共通チャネルのチャネル化コードに使用されるチャネル化コードについては変化がない。この方法の利点は、従来技術では使用されていなかったＨＳ−ＤＳＣＨチャネル化コードが、現在では、拡張されたＨＳ−ＤＳＣＨチャネル化コードセットを介して、サービス提供の目的で使用可能であることである。これによって、使用可能な無線リソースをよりよく使用することができる。
【００４３】
拡張されたＨＳ−ＤＳＣＨチャネル化コードセットへのチャネル化コードの追加、または拡張されたＨＳ−ＤＳＣＨチャネル化コードセットからのチャネル化コードの削除には、おおざっぱに２ミリ秒の更新時間しかかからない。この追加および削除は、ノードＢによって自律的に、すなわちＲＮＣの介入無しに行われる。
【００４４】
ブロック６内の拡張されたチャネル化コードセットは、動的に決定される。ＲＮＣは、追加のチャネル化コードを割り振る場合、自由にそれを行うことができ、追加のＨＳ−ＤＳＣＨチャネル化コードは、Ｃ１６，９である。結果として、新しい最小のＨＳ−ＤＳＣＨチャネル化コードセットは、Ｃ１６，１５からＣ１６，９であり、新しい拡張されたＨＳ−ＤＳＣＨチャネル化コードセットは、Ｃ１６，８．．．Ｃ１６，６である。わかるように、最小のＨＳ−ＤＳＣＨチャネル化コードセット内のチャネル化コードの数は、１だけ減らされ、拡張されたＨＳ−ＤＳＣＨチャネル化コードセット内のチャネル化コードの数は、１だけ増やされる。同様に、最小のＨＳ−ＤＳＣＨチャネル化コードセット内のチャネル化コードの数を減らしたり、拡張されたＨＳ−ＤＳＣＨチャネル化コードセット内のチャネル化コードの数を増やしたりすることもできる。
【００４５】
例えば、ＲＮＣ２が、可変数の専用チャネルおよび５つのチャネル化コードをＨＳ−ＤＳＣＨ送信のために保持している場合、優れたチャネル状態のＵＥ（例えば、視野内状態）の場合、ＨＳ−ＤＳＣＨのスループットは、使用可能な５つのＨＳ−ＤＳＣＨチャネル化コードによって制約される。本明細書に記載されている方法で、この制約が取り除かれ、したがってスループットが増えるようになる。
【００４６】
すべての場合、拡張されたチャネル化コードセットは、連続したＨＳ−ＤＳＣＨチャネル化コードセットである。一例として、新しい拡張されたＨＳ−ＤＳＣＨチャネル化コードセットＣ１６，８．．．Ｃ１６，６は、Ｃ１６，８、Ｃ１６，７、およびＣ１６，６を含む。第２の指数は、それぞれ８，７および６であり、このソートされたセットの数字は、連続した数字を表す。連続したＨＳ−ＤＳＣＨチャネル化コードセットの使用は、拡張されたＨＳ−ＤＳＣＨコードセットに含めるために、チャネル化コードがノードＢによって使用され得る可能性が、最大化されることを意味する。
【００４７】
上記の方法を実行するシステムは、完全に３ＧＰＰ  Ｒｅｌｅａｓｅ  ５標準に適合するＵＴＲＡ／ＦＤＤモードで動作し、ＨＳＤＰＡを使用するＷＣＤＭＡシステムである。
【００４８】
本発明の別の態様は、ＷＣＤＭＡ標準によるノードＢ、特に、上述した方法を実行するように構成されている、ＷＣＤＭＡのＵＴＲＡ／ＦＤＤモードで動作するように構成されているノードＢを言及する。これは、ノードＢの内部メモリに直接ロード可能であるコンピュータプログラム製品を含み、また、上述したようにこの方法を実行するソフトウェアコード部分を含む。
【図面の簡単な説明】
【００４９】
【図１】従来技術による無線通信システムを示す図である。
【図２ａ】従来技術によるＲＮＣの観点から見たＨＳＤＰＡの従来のＲＲＭ方式を示す図である。
【図２ｂ】従来技術によるノードＢの観点から見たＨＳＤＰＡの従来のＲＲＭ方式を示す図である。
【図３】本発明を示すフロ―チャートである。
【図４ａ】ＲＮＣの観点から見たＲＲＭ方式を示す図である。
【図４ｂ】ノードＢの観点から見たＲＲＭ方式を示す図である。
【符号の説明】
【００５０】
１  通信システム
２  無線ネットワーク制御装置（ＲＮＣ）
３、３’、３”  ノードＢ
４  ユーザ機器
５  最小のＨＳ−ＤＳＣＨコードセット
５’  ＨＳ−ＤＳＣＨのコード
６  拡張されたＨＳ−ＤＳＣＨコードセット
７  未使用のコードセット
８  ＤＣＨおよびＨＳ−ＳＣＣＨのコード
９  共通チャネルのコード
１０、１０’、１０”  セル
１１、１１’、１１”  ケーブル
【図１】
2007020163.tif 000003
【図２ａ】
2007020163.tif 000004
【図２ｂ】
2007020163.tif 000005
【図３】
2007020163.tif 000006
【図４ａ】
2007020163.tif 000007
【図４ｂ】
2007020163.tif 000008
【外国語明細書】
2007020163.tif 000009
2007020163.tif 000010
2007020163.tif 000011
2007020163.tif 000012
2007020163.tif 000013
2007020163.tif 000014
2007020163.tif 000015
2007020163.tif 000016
2007020163.tif 000017
2007020163.tif 000018
2007020163.tif 000019
2007020163.tif 000020
2007020163.tif 000021
2007020163.tif 000022
2007020163.tif 000023
2007020163.tif 000024
2007020163.tif 000025
2007020163.tif 000026
2007020163.tif 000027
2007020163.tif 000028